(57)【要約】  Ｐ−ＳＣＨ及びＳ−ＳＣＨへの情報の配置を最適化することにより、移動局装置の回路規模と計算量の削減を図ることができる基地局装置、移動局装置、セルサーチ方法を提供すること。基地局装置２は、同期チャネルとしてプライマリ同期チャネル（Ｐ−ＳＣＨ）と、セカンダリ同期チャネル（Ｓ−ＳＣＨ）を送信する。基地局装置２は、前記セカンダリ同期チャネルに基地局装置２のセルの種別に応じた系列を乗算するＳＣＨ信号生成部２９を具備する。
2009060668.tif 000002
【特許請求の範囲】
【請求項１】
１又は複数の移動局装置と複数の基地局装置を備えるマルチキャリア通信システムにおいて、
前記基地局装置より同期チャネルとしてプライマリ同期チャネル（Ｐ−ＳＣＨ）と、セカンダリ同期チャネル（Ｓ−ＳＣＨ）を送信し、
前記複数の基地局装置の中の特定のセルの基地局装置は、前記セカンダリ同期チャネルに当該セルの種別に応じた系列を乗算するＳＣＨ信号生成部を具備することを特徴とする基地局装置。
【請求項２】
前記セルの種別に応じた系列を乗算するＳＣＨ信号生成部は、Ｓ−ＳＣＨ信号に乗算する＋１の系列と−１の系列を生成する識別符号生成部を具備することを特徴とする請求項１に記載の基地局装置。
【請求項３】
前記セルの種別に応じた系列を乗算するＳＣＨ信号生成部は、セルの種別に対応付けられたスクランブル符号を生成するＰ−ＳＣＨ対応スクランブル符号生成部を具備することを特徴とする請求項１に記載の基地局装置。
【請求項４】
前記セルの種別に対応付けられたスクランブル符号のうち、あるセルの種別に対応付けられたスクランブル符号は、別のセルの種別に対応付けられたスクランブル符号に対してバイナリ符号を乗じた符号であることを特徴とする請求項３に記載の基地局装置。
【請求項５】
セルの種別の識別のために＋１の系列あるいは−１の系列を乗じられたＳ−ＳＣＨ信号を受信する移動局装置において、
受信したＳ−ＳＣＨ信号と、自局に保持するＳ−ＳＣＨレプリカとの相関値を算出するＳ−ＳＣＨ相関部と、算出された相関値の正負の符号によってセルの種別の識別を判断するＳ−ＳＣＨ判定部とを具備することを特徴とする移動局装置。
【請求項６】
Ｓ−ＳＣＨ信号に乗ぜられたスクランブル符号を用いてセルの種別の識別を行なう移動局装置において、
受信したＳ−ＳＣＨ信号と、自局に保持するＳ−ＳＣＨレプリカとの相関値を算出する際に、通常の相関値と、特定の箇所の正負を反転した相関値とを求めるＳ−ＳＣＨ相関部と、算出された２種類の相関値によってセルの種別の識別を判断するＳ−ＳＣＨ判定部とを具備することを特徴とする移動局装置。
【請求項７】
請求項１〜４の何れかに記載の基地局装置と請求項５又は６に記載の移動局装置からなることを特徴とする通信システム。
【請求項８】
セルの種別の識別のために＋１の系列あるいは−１の系列を乗じられたＳ−ＳＣＨ信号を受信するステップを実行する移動局装置におけるセルサーチ方法であって、
受信したＳ−ＳＣＨ信号と、自局に保持するＳ−ＳＣＨレプリカとの相関値を算出するステップと、
算出された相関値の正負の符号によってセルの種別の識別を判断するステップとを有することを特徴とするセルサーチ方法。
【請求項９】
Ｓ−ＳＣＨ信号に乗ぜられたスクランブル符号を用いてセルの種別の識別を行なうステップを実行する移動局装置におけるセルサーチ方法であって、
受信したＳ−ＳＣＨ信号と、自局に保持するＳ−ＳＣＨレプリカとの相関値を算出する際に、通常の相関値と、特定の箇所の正負を反転した相関値とを求めるステップと、
算出された２種類の相関値によってセルの種別の識別を判断するステップとを有することを特徴とするセルサーチ方法。
【発明の詳細な説明】
【技術分野】
【０００１】
本発明は、マルチキャリア通信システムに適用される基地局装置および移動局装置、並びにマルチキャリアを使用する通信システムおよびセルサーチ方法に関する。
【背景技術】
【０００２】
現在、第３世代の周波数帯に第４世代向けに検討されていた技術の一部を導入することによって、通信速度の高速化を目的としたＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）が標準化団体３ＧＰＰ（３ｒｄ  Ｇｅｎｅｒａｔｉｏｎ  Ｐａｒｔｎｅｒｓｈｉｐ  Ｐｒｏｊｅｃｔ）によって検討されている（非特許文献１）。【０００３】
ＥＵＴＲＡでは、通信方式として、マルチパス干渉に強く、高速伝送に適したＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）方式を採用することが決まっている。また、ＥＵＴＲＡに関するデータ転送制御やリソース管理制御といった上位レイヤの動作に関する詳細仕様においては、低遅延、低オーバーヘッド化を実現し、更に可能な限り簡易な技術の採用が進められている。【０００４】
一方、セルラ移動通信方式では、移動局装置−基地局装置間で無線通信するために、移動局装置は、基地局装置の通信エリアであるセルまたはセクタ内において、事前に基地局装置と無線同期している必要がある。そこで、基地局装置は、規定の構成から成る同期チャネル（Ｓｙｎｃｈｒｏｎｉｚａｔｉｏｎ  Ｃｈａｎｎｅｌ、以下、「ＳＣＨ」と称す。）を送信し、移動局装置は、基地局装置が送信したＳＣＨを検出することで基地局装置と同期を取る。なお、第３世代の通信方式の一つであるＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式では、ＳＣＨとしてＰ−ＳＣＨ（Ｐｒｉｍａｒｙ  ＳＣＨ、プライマリ同期チャネル）とＳ−ＳＣＨ（Ｓｅｃｏｎｄａｒｙ  ＳＣＨ、セカンダリ同期チャネル）が同じタイミングで送信される。【０００５】
ここで、移動局装置が基地局装置と無線同期を取り、更にその基地局装置が制御するセルをサーチする処理、すなわち、セルサーチについて図１７のフローチャートを用いて説明する。
なお、セルサーチは、初期セルサーチと周辺セルサーチとに分類される。初期セルサーチとは、移動局装置が電源オン後に最も品質の良いセルを検索し、そのセルに在圏するために行なうセルサーチである。また、周辺セルサーチとは、初期セルサーチ後に、移動局装置がハンドオーバー先の候補セルを検索するために行なうセルサーチのことである。【０００６】
利用者が、移動局装置の電源をオンにすると、移動局装置は、基地局装置が送信したＰ−ＳＣＨ及びＳ−ＳＣＨを受信し、受信したＰ−ＳＣＨ、Ｓ−ＳＣＨ（以下、受信信号と称す）とＰ−ＳＣＨのレプリカ信号とで相関を取ることによってスロット同期を取得する（ステップＳ１０１）。【０００７】
そして、Ｓ−ＳＣＨのレプリカ信号と受信信号とで相関を取り、得られたＳ−ＳＣＨの送信パターンによってフレーム同期を取得すると共に、基地局装置を識別するためのセルＩＤ（Ｉｄｅｎｔｉｆｉｃａｔｉｏｎ：識別情報）のグループを特定する（ステップＳ１０２）。
更にセルＩＤグループから基地局装置のセルＩＤを特定するために、共通パイロットチャネル（Ｃｏｍｍｏｎ  Ｐｉｌｏｔ  Ｃｈａｎｎｅｌ、以下、「ＣＰＩＣＨ」と称す）の品質を測定し、最も品質の高いＣＰＩＣＨから、対応（通信）するセルＩＤを検出する（ステップＳ１０３）（非特許文献１の３５頁〜４５頁”２−２−２．セルサーチ”参照）。
このような一連の制御、すなわち、移動局装置が基地局装置と無線同期を取り、更にその基地局装置のセルＩＤを特定するまでの３段階のステップ制御をセルサーチ手順と呼ぶ。【０００８】
なお、ＥＵＴＲＡは、ＯＦＤＭＡ方式を用いたマルチキャリア通信であるため、同期チャネル（ＳＣＨ）を使用するものの、前述したＷ−ＣＤＭＡ方式のセルサーチとは異なるチャネルマッピングと、セルサーチ制御が必要なことが知られている。例えば、セルサーチ手順はＷ−ＣＤＭＡと異なり、２ステップで完了することが可能である。【０００９】
一方、前述した通常の基地局装置とは別に、Ｈｏｍｅ  ＮｏｄｅＢと呼ばれる送信電力が低くセル半径の小さな基地局装置（以降、ＨＮＢと呼称する）があり、数台の移動局装置のみを収容することができる。
そして、移動局装置が前記ＨＮＢに対して実行するセルサーチにおいて、前述のＰ−ＳＣＨとは異なる系列のＰ−ＳＣＨを用いる方法が提案されている（非特許文献２）。【００１０】
また、移動局装置への個別の送信は行なわず、マルチキャスト送信、およびブロードキャスト送信のみを行なう基地局（以降、ｄＭＢＭＳ基地局と呼称する）がある。
そして、前述のＨＮＢと同様に、移動局装置が前記ｄＭＢＭＳ基地局に対して実行するセルサーチにおいて、前述のＰ−ＳＣＨとは異なる系列のＰ−ＳＣＨを用いる方法が提案されている（非特許文献３）。【００１１】
【非特許文献１】立川  敬二，“Ｗ−ＣＤＭＡ移動通信方式”，ＩＳＢＮ４−６２１−０４８９４−５，平成１３年６月２５日初版発行、丸善株式会社
【非特許文献２】ＮＴＴ  ＤｏＣｏＭｏ，“Ｃｅｌｌ  ＩＤ  Ａｓｓｉｇｎｍｅｎｔ  ｆｏｒ  Ｈｏｍｅ  Ｎｏｄｅ  Ｂ”，Ｒ１−０７３６８４，  ３ＧＰＰ  ＴＳＧ  ＲＡＮ  ＷＧ１＃５０，  Ａｔｈｅｎｓ，  Ｇｒｅｅｃｅ，  Ａｕｇｕｓｔ  ２０−２４，  ２００７
【非特許文献３】Ｎｏｋｉａ，“Ｔｒａｎｓｍｉｓｓｉｏｎ  ｏｆ  Ｐ−ＢＣＨ，  Ｐ−ＳＣＨ  ａｎｄ  Ｓ−ＳＣＨ  ｏｎ  ｄｅｄｉｃａｔｅｄ  ＭＢＭＳ  ｃａｒｒｉｅｒ”，Ｒ１−０７３６６８，  ３ＧＰＰ  ＴＳＧ  ＲＡＮ  ＷＧ１＃５０，  Ａｔｈｅｎｓ，  Ｇｒｅｅｃｅ，  Ａｕｇｕｓｔ  ２０−２４，  ２００７
【発明の開示】
【発明が解決しようとする課題】
【００１２】
しかし、移動局装置が、通常の基地局装置だけでなく、ＨＮＢやｄＭＢＭＳ基地局に対してセルサーチを実行するために、前述のＰ−ＳＣＨとは異なる系列のＰ−ＳＣＨを用いると、つまり、Ｐ−ＳＣＨを必要に応じて増やしていくと、移動局装置は、セルサーチを実行する際、特に、時間同期をとる際、多くのＰ−ＳＣＨの系列との相関をとらなければならなくなる。
その結果、移動局装置の回路規模が増大し、計算量が増加するという問題があった。【００１３】
本発明は、このような事情に鑑みてなされたものであり、Ｐ−ＳＣＨ及びＳ−ＳＣＨへの情報の配置を最適化することにより、移動局装置の回路規模と計算量の削減を図ることができる基地局装置、移動局装置、通信システム、セルサーチ方法を提供することを目的とする。
【課題を解決するための手段】
【００１４】
第１の技術手段は、１又は複数の移動局装置と複数の基地局装置を備えるマルチキャリア通信システムにおいて、前記基地局装置より同期チャネルとしてプライマリ同期チャネル（Ｐ−ＳＣＨ）と、セカンダリ同期チャネル（Ｓ−ＳＣＨ）を送信し、前記複数の基地局装置の中の特定のセルの基地局装置が、前記セカンダリ同期チャネルに当該セルの種別に応じた系列を乗算するＳＣＨ信号生成部を具備することを特徴とする基地局装置である。【００１５】
第２の技術手段は、第１の技術手段の前記セルの種別に応じた系列を乗算するＳＣＨ信号生成部が、Ｓ−ＳＣＨ信号に乗算する＋１の系列と−１の系列を生成する識別符号生成部を具備することを特徴とするものである。【００１６】
第３の技術手段は、第１の技術手段の前記セルの種別に応じた系列を乗算するＳＣＨ信号生成部が、セルの種別に対応付けられたスクランブル符号を生成するＰ−ＳＣＨ対応スクランブル符号生成部を具備することを特徴とするものである。【００１７】
第４の技術手段は、第３の技術手段の前記セルの種別に対応付けられたスクランブル符号のうち、あるセルの種別に対応付けられたスクランブル符号が、別のセルの種別に対応付けられたスクランブル符号に対してバイナリ符号を乗じた符号であることを特徴とするものである。【００１８】
第５の技術手段は、セルの種別の識別のために＋１の系列あるいは−１の系列を乗じられたＳ−ＳＣＨ信号を受信する移動局装置において、受信したＳ−ＳＣＨ信号と、自局に保持するＳ−ＳＣＨレプリカとの相関値を算出するＳ−ＳＣＨ相関部と、算出された相関値の正負の符号によってセルの種別の識別を判断するＳ−ＳＣＨ判定部とを具備することを特徴とする移動局装置である。【００１９】
第６の技術手段は、Ｓ−ＳＣＨ信号に乗ぜられたスクランブル符号を用いてセルの種別の識別を行なう移動局装置において、受信したＳ−ＳＣＨ信号と、自局に保持するＳ−ＳＣＨレプリカとの相関値を算出する際に、通常の相関値と、特定の箇所の正負を反転した相関値とを求めるＳ−ＳＣＨ相関部と、算出された２種類の相関値によってセルの種別の識別を判断するＳ−ＳＣＨ判定部とを具備することを特徴とする移動局装置である。【００２０】
第７の技術手段は、第１〜第４のいずれか１の技術手段の基地局装置と第５又は６の技術手段の移動局装置からなることを特徴とする通信システムである。【００２１】
第８の技術手段は、セルの種別の識別のために＋１の系列あるいは−１の系列を乗じられたＳ−ＳＣＨ信号を受信するステップを実行する移動局装置におけるセルサーチ方法であって、受信したＳ−ＳＣＨ信号と、自局に保持するＳ−ＳＣＨレプリカとの相関値を算出するステップと、算出された相関値の正負の符号によってセルの種別の識別を判断するステップとを有することを特徴とするセルサーチ方法である。【００２２】
第９の技術手段は、Ｓ−ＳＣＨ信号に乗ぜられたスクランブル符号を用いてセルの種別の識別を行なうステップを実行する移動局装置におけるセルサーチ方法であって、受信したＳ−ＳＣＨ信号と、自局に保持するＳ−ＳＣＨレプリカとの相関値を算出する際に、通常の相関値と、特定の箇所の正負を反転した相関値とを求めるステップと、算出された２種類の相関値によってセルの種別の識別を判断するステップとを有することを特徴とするセルサーチ方法である。
【発明の効果】
【００２３】
本発明によれば、チャネルサーチにおける演算量を減らすことが可能となる。また、演算量が減ることにより、移動局装置の回路の簡略化、および相関処理に掛かる時間が減少し消費電力の抑制が可能となる。
【図面の簡単な説明】
【００２４】
【図１】ＥＵＴＲＡにおける周波数領域と時間領域で区切られた無線リソースを示す図である。
【図２】ＥＵＴＲＡにおけるＳＣＨのフレーム内の位置を示す図である。
【図３】基地局とセルの関係の一例を示す図である。
【図４】ＥＵＴＲＡにおけるＳ−ＳＣＨの構造の一例を示す図である。
【図５】第１の実施形態における移動局装置の一例を示すブロック図である。
【図６】第１の実施形態における基地局装置の一例を示すブロック図である。
【図７】第１および第２の実施形態におけるＳ−ＳＣＨの構造の一例を示す図である。
【図８】第１の実施形態におけるＳＣＨ信号生成部の詳細を示すブロック図である。
【図９】第１の実施形態におけるセルサーチ部の詳細を示すブロック図である。
【図１０】第１の実施形態におけるＳ−ＳＣＨの受信処理の一例を示すフローチャートである。
【図１１】第２の実施形態におけるＳＣＨ信号生成部の詳細を示すブロック図である。
【図１２】第２の実施形態における発生回路の一例を示す図である。
【図１３】第２の実施形態における相関検波器の一例を示す図である。
【図１４】第２の実施形態における相関検波器の他の例を示す図である。
【図１５】第２の実施形態におけるセルサーチ部の詳細を示すブロック図である。
【図１６】第２の実施形態におけるＳ−ＳＣＨの受信処理の一例を示すフローチャートである。
【図１７】従来の３段階のセルサーチ手順について示したフローチャートである。
【符号の説明】
【００２５】
１…移動局装置、１０…受信部、１１…制御部、１２…復調部、１３…制御信号処理部、１４…データ処理部、１５…下り同期調整部、１６，１６’…セルサーチ部、１７…セル情報処理部、１８…符号部、１９…変調部、２０…送信部、２１…上位レイヤ、２…基地局装置、２２…受信部、２３…復調部、２４…制御部、２５…データ処理部、２６…制御信号処理部、２７…符号部、２８…変調部、２９，２９’…ＳＣＨ信号生成部、３０…送信部、３１…上位レイヤ、５０，９０…Ｐ−ＳＣＨ生成部、５１，９１…Ｓ−ＳＣＨ生成部、５２，９２…Ｐ−ＳＣＨ対応スクランブル符号生成部、５３…識別符号生成部、５４…Ｓ−ＳＣＨマッピング部、６０，１００…チャネル切替部、６１，１０１…Ｐ−ＳＣＨ相関部、６２，１０２…Ｐ−ＳＣＨレプリカ信号選択部、６３，１０３…Ｐ−ＳＣＨ判定部、６４，１０４…Ｐ−ＳＣＨ信号保持部、６５，１０５…Ｐ−ＳＣＨ対応スクランブル符号選択部、６６，１０６…Ｓ−ＳＣＨ相関部、６７，１０７…Ｓ−ＳＣＨレプリカ信号選択部、６８，１０８…Ｓ−ＳＣＨ判定部、６９，１０９…Ｓ−ＳＣＨ信号保持部、７０，１１０…伝搬路補償部、９３…Ｓ−ＳＣＨマッピング部、１００…チャネル切替部、２１０１，２２０１…Ｓ／Ｐ、２１０２…加算器、２１０３…乗算部、２２０２…第１の加算器、２２０３…第２の加算器、２２０４…第３の加算器、２２０５…減算器、２２０６…乗算部。
【発明を実施するための最良の形態】
【００２６】
次に、本発明の実施形態について、図面を参照しながら説明する。まず、本発明の基本的な技術について説明する。
（物理チャネル）
実施形態に共通に用いられる物理チャネルとしては、以下のものがある。
物理チャネルは、データチャネルと制御チャネルとに分けられる。制御チャネルには、後述の無線フレームに配置される同期チャネル（ＳＣＨ）以外にも、報知情報チャネル、ランダムアクセスチャネル、下りリファレンスシグナル、上りリファレンスシグナル、下り共用制御チャネル、上り共用制御チャネルがある。これらの物理チャネルの詳細な説明は本発明に影響しないため省略する。【００２７】
（無線フレーム）
図１は、前記同期チャネル等が配置される、ＥＵＴＲＡにおける無線フレームの構成の一例を示す図である。図１では、横軸に時間軸をとっており、縦軸に周波数軸をとっている。無線フレームは、周波数軸を複数のサブキャリアの集合で構成される一定の周波数領域（ＢＲ）と、一定の送信時間間隔（スロット）で構成される領域を一単位として構成されている（非特許文献４参照）。【００２８】
また、１スロットの整数倍から構成される送信時間間隔をサブフレームと呼ぶ。更に、複数のサブフレームをまとめたものをフレームと呼ぶ。図１では、１サブフレームが２スロットから構成される場合を示している。この一定の周波数領域（ＢＲ）と１スロット長で区切られた領域を、リソースブロックと呼ぶ。図１中のＢＷは、システム帯域幅を示しており、ＢＲはリソースブロックの帯域幅を示している。【００２９】
（同期チャネル）
図２は、ＥＵＴＲＡにおける、前述の同期チャネル、つまり、ＳＣＨ（Ｐ−ＳＣＨ、Ｓ−ＳＣＨ）の前記フレーム内の位置を示した図である。Ｐ−ＳＣＨは、システム帯域幅の中心６リソースブロック（７２サブキャリア使用）において、サブフレーム番号＃０および＃５の先頭スロットの最終シンボルに配置される。Ｓ−ＳＣＨは、Ｐ−ＳＣＨの直前のシンボルに配置される。なお、非特許文献４においては、ＳＣＨのことをＳｙｎｃｈｒｏｎｉｚａｔｉｏｎ  Ｓｉｇｎａｌと記載してあるが、意味は同じである。【００３０】
また、通常のセルにおいては、Ｐ−ＳＣＨとして３つの系列が用意され、異なるＰ−ＳＣＨ系列がセルＩＤの一部（例えば３通り）の情報を示す。また、Ｓ−ＳＣＨも同様にセルＩＤの一部（例えば１７０通り）を示すため、異なる複数の信号の識別が必要であり、更にフレームタイミング情報（例えば２通り）といった基地局装置固有の情報を示す可能性がある。Ｓ−ＳＣＨでセルＩＤの一部とフレームタイミング情報が表される場合には例えば１７０×２＝３４０通りの識別が必要となる。【００３１】
（Ｐ−ＳＣＨ）
ここで、本発明におけるＰ−ＳＣＨについて詳細に説明する。
まず、複数のセルが配置された環境において、移動局装置とのユニキャスト送受信を行なう通常の基地局装置（例えば基地局Ａ）は図３に示すように、複数のセル（セル１、セル２、セル３）に対して制御を行なう。ひとつの基地局装置が３つのセルに対して制御を行なう場合には、Ｓ−ＳＣＨによって基地局装置（例えばＡ）を同定し、Ｐ−ＳＣＨによって基地局装置の制御するセル（セル１、セル２、セル３）を同定することができる。すなわち、３つのＰ−ＳＣＨを同一基地局装置が制御するそれぞれのセルに割り当てることが考えられる。この同一基地局装置が制御する複数のセルをセクタとも呼称する。【００３２】
（Ｓ−ＳＣＨ）
次に、Ｓ−ＳＣＨについて説明する。
図４は、Ｓ−ＳＣＨの信号系列とチャネル構造の一例を示したものである（非特許文献５）。第一のＳ−ＳＣＨ信号（Ｓ−ＳＣＨ１）と、第二のＳ−ＳＣＨ信号（Ｓ−ＳＣＨ２）が用意され、それぞれ符号長３１のＭ系列を巡回シフトすることにより生成される３１個の系列の中から一つを選択する。そして、中心のＤＣ（Ｄｉｒｅｃｔ  Ｃｕｒｒｅｎｔ）サブキャリアを除くサブキャリアにＳ−ＳＣＨ１とＳ−ＳＣＨ２が交互に配置される。ＤＣサブキャリアには信号は配置されない。
図４に示す方法は、３１×３１＝９６１通りの組み合わせが可能であり、上述した基地局装置の情報を含むのに十分な組み合わせ数が得られる。【００３３】
（スクランブル符号）
次に、Ｓ−ＳＣＨに乗算されるスクランブル符号について説明を行なう。
Ｓ−ＳＣＨに乗算されるスクランブル符号の種類としては、Ｐ−ＳＣＨ対応スクランブル符号を用意する。
Ｐ−ＳＣＨ対応スクランブル符号とは、Ｐ−ＳＣＨを同定することによって一意、またはグループ内の複数個の候補として決定されるスクランブル符号のことであり、Ｓ−ＳＣＨ１とＳ−ＳＣＨ２に各々乗算する。【００３４】
あるいは、図４に示したようなサブキャリアごとに交互に周波数多重されたＳ−ＳＣＨ１とＳ−ＳＣＨ２に対して乗算してもよい。先に述べたように、通常のセルにおいては、Ｐ−ＳＣＨは３つの系列が存在するため、Ｐ−ＳＣＨ対応スクランブル符号は３つ（あるいは３グループ）存在することになる。乗算されるスクランブル符号の符号長は、乗算する対象となる符号長の長さに等しい、または乗算する対象となる符号長に等しくなるように長さを調整したものが選ばれる。【００３５】
ここでは用いていないが、Ｓ−ＳＣＨ１で使用される系列番号を基に一意、あるいはグループ内の複数個の候補として決まるスクランブル符号（以降、個別スクランブル符号と呼称する）をＳ−ＳＣＨ２に対して乗算することも可能である。Ｓ−ＳＣＨ１としてｎ個の候補があれば、個別スクランブル符号はｎ個（またはｎグループ）存在することになる。乗算される符号長は、Ｓ−ＳＣＨ２の符号長に等しい、またはＳ−ＳＣＨ２の符号長に等しくなるように長さを調整したものが選ばれる。
以上に述べたスクランブル符号として使用される可能性のある系列としては、アダマール系列、Ｗａｌｓｈ系列、Ｇｏｌａｙ系列、ＰＮ系列、Ｍ系列、ランダム系列、ＧＣＬ系列などが考えられる。【００３６】
非特許文献６には、Ｓ−ＳＣＨ１とＳ−ＳＣＨ２に対してスクランブル符号を乗算し、隣接するセルからのＳ−ＳＣＨ信号への干渉をランダム化する技術が提案されている。非特許文献６の方法は、Ｓ−ＳＣＨ１およびＳ−ＳＣＨ２にＰ−ＳＣＨに一対一に対応するスクランブル符号を乗算し、更に、Ｓ−ＳＣＨ２にはＳ−ＳＣＨ１が使用する系列番号に対応した個別のスクランブル符号を乗算する方法である。【００３７】
［非特許文献４］３ＧＰＰ  ＴＳ（Ｔｅｃｈｎｉｃａｌ  Ｓｐｅｃｉｆｉｃａｔｉｏｎ）３６．２１１、Ｐｈｙｓｉｃａｌ  Ｃｈａｎｎｅｌｓ  ａｎｄ  Ｍｏｄｕｌａｔｉｏｎ．Ｖ１．１．１  ｈｔｔｐ：／／ｗｗｗ．３ｇｐｐ．ｏｒｇ／ｆｔｐ／Ｓｐｅｃｓ／ｈｔｍｌ−ｉｎｆｏ／３６２１１．ｈｔｍ
［非特許文献５］Ｑｕａｌｃｏｍｍ  Ｅｕｒｏｐｅ，  “Ｄｅｔａｉｌｓ  ｏｎ  ＳＳＣ  ｓｅｑｕｅｎｃｅ  ｄｅｓｉｇｎ”，  Ｒ１−０７２７２７，  ３ＧＰＰ  ＴＳＧ  ＲＡＮ  ＷＧ１＃４９ｂｉｓ，  Ｏｒｌａｎｄｏ，  ＵＳＡ，  Ｊｕｎｅ  ２５−２９，  ２００７
［非特許文献６］ＭＣＣ  Ｓｕｐｐｏｒｔ，  “Ｄｒａｆｔ  Ｒｅｐｏｒｔ  ｏｆ  ３ＧＰＰ  ＴＳＧ  ＲＡＮ  ＷＧ１  ＃４９ｂ  ｖ０．１．０”，  ３ＧＰＰ  ＴＳＧ  ＲＡＮ  ＷＧ１＃４９ｂｉｓ，  Ｏｒｌａｎｄｏ，  ＵＳＡ，  Ｊｕｎｅ  ２５−２９，  ２００７【００３８】
（第１の実施形態）
本発明の第１の実施形態について以下に説明する。
本実施形態においては、ＨＮＢ、ｄＭＢＭＳ基地局の両方に対して通常の基地局装置に割り当てた３つのＰ−ＳＣＨとは異なる系列のＰ−ＳＣＨ（以降、第４のＰ―ＳＣＨと呼称する）を１つ割り当てる。
次にＳ−ＳＣＨは通常のセルと同様にセルＩＤの一部とフレームタイミング情報をのせるため３４０種類とする。ここでＨＮＢから送信されるＳ−ＳＣＨはそのまま送信し、ｄＭＢＭＳ基地局から送信されるＳ−ＳＣＨは−１を乗算して送信する。【００３９】
上記処理により、移動局装置は、新たに割り当てられた第４のＰ−ＳＣＨを検出することによって、ＨＮＢあるいはｄＭＢＭＳ基地局が存在することを認識し、Ｐ−ＳＣＨを位相・振幅のリファレンス信号として用いてＳ−ＳＣＨの伝搬路補償を行なう。伝搬路補償されたＳ−ＳＣＨと予め移動局装置内で保持している３４０種類の系列との相関をとることにより、相関値の絶対値が最大となる系列を同定する。ここで正の相関値であればＨＮＢから送信された信号であることがわかり、負の相関値であればｄＭＢＭＳ基地局から送信された信号であることがわかる。【００４０】
以上の処理により、ＨＮＢ、ｄＭＢＭＳ基地局用に個別の複数のＰ−ＳＣＨを用いることなくセルサーチを行なうことが可能となり、移動局装置における処理の軽減を図ることが可能となる。【００４１】
図５は、本発明の第１の実施形態に係る移動局装置１の構成の一例を示すブロック図である。
１０は、受信部で、基地局装置からの送信信号を受信する。なお、以下、受信部１０が受信した前記送信信号を受信信号と称す。
受信部１０は、制御部１１からの指示に基づき、セルサーチ手順中であれば、受信信号をセルサーチ部１６に出力する。【００４２】
セルサーチ部１６では、セルサーチ手順がスロット同期を取得するステップ（図１７のステップＳ１０１）であれば、４つのＰ−ＳＣＨ系列から１系列を検出し、スロットタイミングを取得する工程が行われる。【００４３】
また、セルサーチ手順がセル情報を取得するステップ（図１７のステップＳ１０２）であれば、Ｓ−ＳＣＨを検出し、Ｐ−ＳＣＨが通常のセルの系列であれば通常セルのセルＩＤグループ、フレームタイミングなどのセル情報を取得し、後述のように、第４のＰ−ＳＣＨであれば相関値の正負を判定して、正であればＨＮＢのＩＤ情報、フレームタイミングなどのセル情報を取得し、負であればｄＭＢＭＳ基地局のＩＤ情報、フレームタイミング情報などのセル情報を取得する工程が行われる。ここでのセル情報はセルの種別（セル種別）によって異なる情報を含んでいてもよく、例えば通常セルの場合のみ送信アンテナ数情報が含まれるとしてもよいし、ｄＭＢＭＳの場合のみセルＩＤではなく送信されるブロードキャスト信号の種類を示していてもよい。【００４４】
Ｐ−ＳＣＨおよびＳ−ＳＣＨによって取得したタイミング情報（スロットタイミング、フレームタイミング）は、下り同期調整部１５に出力され、受信部１０の信号受信タイミングを調整するために使用される。また、Ｓ−ＳＣＨから取得したセル情報は、セル情報処理部１７へ出力され、上位レイヤ２１へ転送される。セルサーチ手順中以外であれば、受信信号は、復調部１２へ送られ、制御部１１より入力されるチャネル情報や受信制御情報を基に復調され、データチャネル、制御チャネルに分類される。【００４５】
分類された各チャネルは、データチャネルであればデータ処理部１４へ、制御チャネルであれば制御信号処理部１３へ出力される。なお、前記以外のチャネルの場合、それぞれ他のチャネル制御部へ出力されるが、本発明には影響しないため省略してある。データ処理部１４は、ユーザデータを取り出して上位レイヤ２１へ出力する。制御信号処理部１３は、制御データを取り出して上位レイヤ２１へ出力する。
上位レイヤ２１は、前述のユーザデータの処理、及び、基地局装置へ送信するユーザデータ等を生成するアプリケーション等から構成される。【００４６】
一方、上位レイヤ２１からは、ユーザデータと制御データが符号部１８に入力され、送信データとして符号化される。制御データは、上りリファレンスシグナルと上り共用制御チャネルのデータを含む。また、上位レイヤ２１から制御部１１へチャネル情報や送信制御情報が入力される。送信制御情報は、上りチャネルおよび下りチャネルに関する送受信のタイミングや多重方法、変調または復調情報が含まれている。【００４７】
符号部１８が符号化した各送信データは、変調部１９に入力される。
変調部１９は、制御部１１から指示される情報に従って、送信データについて適切な変調方式で変調処理を行なう。変調部１９で変調されたデータは、送信部２０に入力され、適切に電力制御されて送信される。なお、その他の移動局装置の構成要素は本発明に関係ないため省略してある。また、各ブロックの動作は、上位レイヤ２１によって統括的に制御される。【００４８】
図６は、本発明の第１の実施形態に係る基地局装置２の構成の一例を示すブロック図である。ここで、基地局装置２は、複数の基地局装置の中の特定のセルの基地局装置として機能する（図３参照）。
２２は、受信部で、移動局装置、および基地局装置からの送信信号を受信する。なお、以下、受信部２２が受信した前記送信信号を受信信号と称す。
前記受信信号は、復調部２３へ送られ、制御部２４から指示される制御情報を基に、データチャネル、制御チャネルに分けられ、それぞれ復調される。なお、前記以外のチャネルの場合、それぞれ他のチャネル制御部へ出力されるが、本発明には影響しないため省略してある。
復調された各データは、データチャネルであればデータ処理部２５へ、制御チャネルであれば制御信号処理部２６へ出力される。【００４９】
データ処理部２５では、ユーザデータの復調処理を行ない上位レイヤ３１へ出力する。制御信号処理部２６では、制御データを取り出して上位レイヤ３１へ出力する。また、スケジューリングの制御に関連する制御情報は各ブロックへ出力される。【００５０】
一方、上位レイヤ３１からの送信要求を契機として、ユーザデータと制御データが符号部２７に入力される。制御データは、報知情報チャネル、下りリファレンスシグナル、下り共用制御チャネルを含む。また、上位レイヤ３１より制御部２４へ制御情報が入力される。【００５１】
符号部２７が符号化したユーザデータと制御データは、変調部２８に入力される。変調部２８は、制御部２４からの制御情報に従って、各送信データについて、適切な変調方式で変調処理を行なう。変調部２８で変調されたデータは、送信部３０に入力され、適切に電力制御されて送信される。【００５２】
また、ＳＣＨ信号生成部２９には、基地局装置に割り振られたセルＩＤ、送信アンテナ数、ＳＣＨが送信されるフレームタイミングなどが基地局装置情報として上位レイヤ３１から入力される。ＳＣＨ信号生成部２９は、基地局装置情報に対応するＰ−ＳＣＨとＳ−ＳＣＨの組み合わせを選択し、Ｐ−ＳＣＨとＳ−ＳＣＨの信号をそれぞれ生成する。生成されたＰ−ＳＣＨ、Ｓ−ＳＣＨは送信部３０へ入力されて送信される。なお、その他の基地局装置の構成要素は本発明に関係ないため省略してある。また、各ブロックの動作は、上位レイヤ３１によって統括的に制御される。【００５３】
図７は、第１の実施形態における、Ｓ−ＳＣＨの構造の一例を示した図である。Ｓ−ＳＣＨは、Ｓ−ＳＣＨ１とＳ−ＳＣＨ２に分割される。また、ここでは、Ｓ−ＳＣＨ１およびＳ−ＳＣＨ２は、サブフレーム番号＃０に配置されるＳ−ＳＣＨ１をＳ−ＳＣＨ１＿１、同じくＳ−ＳＣＨ２をＳ−ＳＣＨ２＿１、サブフレーム番号＃５に配置されるＳ−ＳＣＨ１をＳ−ＳＣＨ１＿２、同じくＳ−ＳＣＨ２をＳ−ＳＣＨ２＿２とする。【００５４】
図７において、Ｓ−ＳＣＨ１とＳ−ＳＣＨ２は符号長３１の系列であり、中心のＤＣサブキャリアを除いた残りのサブキャリアに交互に配置される。ＤＣサブキャリアには信号は配置されない。また、左端のサブキャリア番号をサブキャリア＃０、右端のサブキャリア番号をサブキャリア＃６２とする。
本実施形態では、Ｐ−ＳＣＨ対応スクランブル符号として４つの系列（Ｐ１〜Ｐ４）を用意し、Ｐ−ＳＣＨ系列に一意に対応付ける。【００５５】
図８は、第１の実施形態における基地局装置のＳＣＨ信号生成部２９を詳細に説明するためのブロック図である。
ＳＣＨ信号生成部２９は、セカンダリ同期チャネル（Ｓ−ＳＣＨ）にセルの種別に応じた系列を乗算する。
図示のように、セルＩＤ情報、およびセル種別情報（通常のセル、ＨＮＢ、ｄＭＢＭＳなど）が、Ｐ−ＳＣＨ生成部５０とＳ−ＳＣＨ生成部５１に入力され、Ｐ−ＳＣＨ生成部５０において、当該セルＩＤ情報、セル種別情報よりＰ−ＳＣＨの系列が選択される。また、同様にセルＩＤ情報、セル種別情報を基にＳ−ＳＣＨ生成部５１よりＳ−ＳＣＨ１およびＳ−ＳＣＨ２が生成される。なお、本実施形態では、Ｓ−ＳＣＨ生成部５１にセルＩＤ情報とセル種別情報が入力される例であるが、他の基地局装置情報（例えば送信アンテナ数情報、フレームタイミング情報）が入力されても良い。【００５６】
続いて、Ｐ−ＳＣＨ対応スクランブル符号生成部５２に、Ｐ−ＳＣＨ生成部５０から選択されたＰ−ＳＣＨの系列情報（Ｐ−ＳＣＨ信号情報と称す）が入力され、Ｐ−ＳＣＨ信号情報に応じたＰ−ＳＣＨ対応スクランブル符号、つまり、セルの種別に対応付けられたスクランブル符号が生成される。
そして、Ｐ−ＳＣＨ対応スクランブル符号生成部５２から出力されたＰ−ＳＣＨ対応スクランブル符号に、Ｓ−ＳＣＨ生成部５１から出力されたＳ−ＳＣＨ１、Ｓ−ＳＣＨ２が乗ぜられる。【００５７】
さらに、前述のセル（セル種別）がｄＭＢＭＳ基地局制御のセルであれば、識別符号生成部５３から−１を出力し、生成されたＳ−ＳＣＨ１およびＳ−ＳＣＨ２に乗算する。その他の種別のセルでは、識別符号生成部５３から＋１を出力し乗算してもよいし、識別符号生成部５３および識別符号生成部５３から出力された信号の乗算部自体を実装しないことも勿論可能である。
つまり、識別符号生成部５３は、Ｓ−ＳＣＨ信号に乗算する＋１の系列と−１の系列を生成する。
前述のように、前記セルの種別に対応付けられたスクランブル符号のうち、あるセルの種別に対応付けられたスクランブル符号は、別のセルの種別に対応付けられたスクランブル符号に対してバイナリ符号を乗じた符号である。【００５８】
最後に、上述したＰ−ＳＣＨ対応スクランブル符号によるスクランブルと識別符号の乗算が実施されたＳ−ＳＣＨ１とＳ−ＳＣＨ２がＳ−ＳＣＨマッピング部５４に入力され、図７に示したサブキャリア位置に周波数多重されて配置される。なお、各符号の乗算の順番は必ずしも本説明に従わなくても問題はない。例えば、Ｐ−ＳＣＨ対応スクランブル符号が識別符号生成部からの出力信号に対して乗算されてもよい。【００５９】
図９は、第１の実施形態における移動局装置１のセルサーチ部１６を詳細に説明するためのブロック図である。
受信部１０から入力された受信信号は、まずチャネル切替部６０に入力される。チャネル切替部６０は、前述したセルサーチ制御のステップに従い、Ｐ−ＳＣＨ検出処理なのかＳ−ＳＣＨ検出処理なのかを判断し、受信信号の出力先を適切に変更する。Ｐ−ＳＣＨ検出処理である場合、受信信号はＰ−ＳＣＨ相関部６１に入力される。また、Ｐ−ＳＣＨ相関部６１には、Ｐ−ＳＣＨレプリカ信号選択部６２よりＰ−ＳＣＨレプリカ信号が入力され、受信信号との相関検波処理が行われる。【００６０】
Ｐ−ＳＣＨ相関部６１で相関検波により生成されたＰ−ＳＣＨ相関信号は、Ｐ−ＳＣＨ判定部６３へ出力され、また、同時にＰ−ＳＣＨ相関信号はＰ−ＳＣＨ信号保持部６４へ出力され、Ｐ−ＳＣＨ相関信号が記憶される。記憶された相関信号は、必要に応じて新規に入力されたＰ−ＳＣＨ相関信号と合成される。【００６１】
Ｐ−ＳＣＨ判定部６３は、Ｐ−ＳＣＨ相関部６１より出力されたＰ−ＳＣＨ相関信号の相関値が、ある一定以上であればＰ−ＳＣＨを正しく検出したと判断し、得られたＰ−ＳＣＨ検出情報（スロットタイミング、Ｐ−ＳＣＨ系列情報）をセル情報処理部１７へ出力する。また、同時にＰ−ＳＣＨ系列情報は伝搬路補償部７０、Ｓ−ＳＣＨ判定部６８、およびＰ−ＳＣＨ対応スクランブル符号選択部６５へ入力される。【００６２】
Ｐ−ＳＣＨ対応スクランブル符号選択部６５ではＰ−ＳＣＨの系列に対応するＰ−ＳＣＨ対応スクランブル符号が選択される。
セルサーチ制御が、Ｓ−ＳＣＨ検出処理であったとき、伝搬路補償部７０では入力されたＳ−ＳＣＨと同一サブフレームのＰ−ＳＣＨ信号、Ｐ−ＳＣＨ系列情報、前記Ｐ−ＳＣＨ系列情報に対応するＰ−ＳＣＨレプリカ信号をもとに伝搬路を推定し、Ｓ−ＳＣＨ信号を補償する。補償された受信信号はＰ−ＳＣＨ対応スクランブル符号が乗算される。ここでは伝搬路補償部７０を設けたが性能の劣化が許容できるのであればこの伝搬路補償部を設けなくてもよい。【００６３】
Ｓ−ＳＣＨ相関部６６には、Ｓ−ＳＣＨレプリカ信号選択部６７よりＳ−ＳＣＨレプリカ信号が入力され、受信信号との相関検波処理が行われる。Ｓ−ＳＣＨ相関部６６で相関検波により生成されたＳ−ＳＣＨ相関信号は、Ｓ−ＳＣＨ判定部６８へ出力され、また、同時にＳ−ＳＣＨ相関信号はＳ−ＳＣＨ信号保持部６９へ出力され、Ｓ−ＳＣＨ相関信号が記憶される。
つまり、Ｓ−ＳＣＨ相関部６６は、受信したＳ−ＳＣＨ信号と、自局に保持するＳ−ＳＣＨレプリカとの相関値を算出する。【００６４】
Ｓ−ＳＣＨ判定部６８は、Ｓ−ＳＣＨ相関部６６より出力されたＳ−ＳＣＨ相関信号の相関値の絶対値が、ある一定以上であればＳ−ＳＣＨ１の系列を正しく検出したと判断し、さらに入力されたＰ−ＳＣＨ情報が第４のＰ−ＳＣＨであった場合には相関値の正負の判定を行ない、得られたＳ−ＳＣＨ検出情報をＨＮＢ，ｄＭＢＭＳ何れか判定されたほうのセルＩＤ情報、フレームタイミング情報などとして出力し、第４のＰ−ＳＣＨ以外のＰ−ＳＣＨであった場合には通常のセルＩＤ情報、フレームタイミング情報などとして、セル情報処理部１７へ出力する。
つまり、Ｓ−ＳＣＨ判定部６８は、算出された相関値の正負の符号によってセルの種別の識別を判断する。【００６５】
図１０は、図９の移動局装置１におけるセルサーチ部１６のセル情報を同定するまでの処理の一例を説明するためのフローチャートである。
セル情報検出処理の開始後、まず、自局移動局装置１が保持しているＰ−ＳＣＨレプリカと受信信号との相関をとり、所定の閾値を越える相関が検出された場合に、Ｐ−ＳＣＨが検出されたとする（ステップＳ１）。
同定したＰ−ＳＣＨ系列に応じて選択されたＰ−ＳＣＨ対応スクランブル符号を受信Ｓ−ＳＣＨ信号に乗算し、デスクランブルした信号を出力する（ステップＳ２）。【００６６】
自局移動局装置１が保持しているＳ−ＳＣＨレプリカとデスクランブルされた信号との相関をとり、相関値の絶対値が最大となる系列を同定、つまり、Ｓ−ＳＣＨを検出する（ステップＳ３）。
次に、Ｓ１で同定されたＰ−ＳＣＨが第４のＰ−ＳＣＨ（ＨＮＢおよびｄＭＢＭＳ基地局から送信されたＰ−ＳＣＨ）か否かを判定する（ステップＳ４）。
第４のＰ−ＳＣＨであった場合は（ステップＳ４／ＹＥＳ）、ステップＳ６へ進み、違った場合は（ステップＳ４／ＮＯ）、ステップＳ５へ進む。【００６７】
第４のＰ−ＳＣＨでない場合（ステップＳ４／ＮＯ）、ステップＳ３で同定したＳ−ＳＣＨの系列から通常セルのセル情報を取得してセル情報検出処理を終了する（ステップＳ５）。【００６８】
第４のＰ−ＳＣＨであった場合（ステップＳ４／ＹＥＳ）、ステップＳ３で同定したＳ−ＳＣＨの系列との相関値が正の値か負の値かを判定する（ステップＳ６）。
正の値であれば（ステップＳ６／ＹＥＳ）、ステップＳ７へ進み、負の値であれば（ステップＳ６／ＮＯ）、ステップＳ８へ進む。【００６９】
正の値であった場合（ステップＳ６／ＹＥＳ）、ステップＳ３で同定したＳ−ＳＣＨの系列からＨＮＢのセル情報を取得してセル情報検出処理を終了する（ステップＳ７）。
負の値であった場合（ステップＳ６／ＮＯ）、ステップＳ３で同定したＳ−ＳＣＨの系列からｄＭＢＭＳ基地局のセル情報を取得してセル情報検出処理を終了する（ステップＳ８）。【００７０】
本実施形態によれば、第４のＰ−ＳＣＨを追加するのみで、Ｓ−ＳＣＨの検出処理に要する回路規模を増加させることなく、ＨＮＢ、ｄＭＢＭＳ基地局への同期に対応させることが可能となる。【００７１】
なお、本実施形態においてはＳ−ＳＣＨの相関の正負の判断によって正はＨＮＢ、負はｄＭＢＭＳ基地局とセル種別を識別しているが、基地局装置と移動局装置の双方で既知であれば正負が逆であっても構わない。また、第４のＰ−ＳＣＨに割り当てるセル種別はこの２つに限定されるものではなく、特定用途に特化した基地局など他にも適用が可能である。
さらには、第４のＰ−ＳＣＨを用いず、通常セルの３つのＰ−ＳＣＨのうち、第１のＰ−ＳＣＨにＳ−ＳＣＨの相関が正となるように通常セルのセル情報をのせ、相関が負となるようにＨＮＢのセル情報をのせて、そして第２のＰ−ＳＣＨにＳ−ＳＣＨの相関が正となるように通常セルのセル情報をのせ、相関が負となるようにｄＭＢＭＳのセル情報をのせることによってもセル種別の識別を行なうことが可能である。【００７２】
（第２の実施形態）
次に、本発明の第２の実施形態について説明する。第２の実施形態では、第４のＰ−ＳＣＨに割り当てられたセル種別の識別に第１の実施形態とは異なる手法を用いる。基地局装置２の構成のうち、ＳＣＨ信号生成部２９の詳細が図１１に変わることと、移動局装置の構成のうち、セルサーチ部の詳細が図１５に変わる以外は、図６および図５と同じ構成でよい。また、Ｓ−ＳＣＨの配置は図７と同じでよい。【００７３】
以下、後述の図１１に示す、基地局装置２のＳＣＨ信号生成部２９’において生成するＰ−ＳＣＨ対応スクランブル符号について説明を行なう。
本実施形態ではＰ−ＳＣＨ対応スクランブル符号に用いる系列としてＰＮ系列を用いる。
ＰＮ系列は通常、図１２に示すようなシフトレジスタと排他的論理和で構成される発生回路に（ａ，ｂ，ｃ，ｄ，ｅ，ｆ）＝（０，０，０，０，０，０）以外の初期値を代入することで順次出力される。図１２に示す発生回路からは長さ６３で一巡する系列が取得できる。この長さ６３の系列をサイクリックシフトすることにより６３種類の系列を生成することができる。【００７４】
また、シフトレジスタの初期値として（ａ，ｂ，ｃ，ｄ，ｅ，ｆ）＝（０，０，０，０，０，１）から（１，１，１，１，１，１）  までの６３種類を代入しても同様に６３種類の長さ６３の系列が得られる。
（また、シフトレジスタの数や排他的論理和を行う場所を変えることにより、異なる長さや種類の系列が生成できる。）
この系列における０を−１としたものを符号として用いる。【００７５】
ここでｎ（１≦ｎ≦６３）を６ビットの２進数であらわしたものを（ｎ１，ｎ２，ｎ３，ｎ４，ｎ５，ｎ６）とする。例えばｎ＝７のとき（ｎ１，ｎ２，ｎ３，ｎ４，ｎ５，ｎ６）＝（０，０，０，１，１，１）となる。
以降、前記発生回路の初期値として（ａ，ｂ，ｃ，ｄ，ｅ，ｆ）＝（  ｎ１，ｎ２，ｎ３，ｎ４，ｎ５，ｎ６）を代入して得られる系列の０を−１にしたものを、符号Ｐ（ｎ，ｍ）（ｍ＝１，２，３，・・・，６３）とおく。
符号Ｐ（ｎ）の自己相関値は６３となり、相互相関値は−１となる。【００７６】
前記Ｐ（ｎ，ｍ）のうち、例えば４個（Ｐ（１，ｍ），Ｐ（２，ｍ），Ｐ（１０，ｍ），Ｐ（１９，ｍ））の符号をＰ−ＳＣＨ対応スクランブルに用いると仮定すると、基地局からは１つのセルに対して前記４種類の符号の中から１種類の符号がＳ−ＳＣＨに乗ぜられて送信される。移動局装置では予め保持している４種類の符号から検出されたＰ−ＳＣＨに対応するものを受信信号に乗ずることによりデスクランブル処理を行ない、デスクランブルされた信号とＳ−ＳＣＨ系列（たとえば３４０種類）の相関検波を行い、各相関値を算出する。各相関値のうち最大の値をとるもの、あるいは予め設定した閾値を超えるものなどを検出し、送信された符号を同定する。【００７７】
前述の相関値を検出する相関検波器の一例は図１３に示すように、
長さ６３の入力信号をパラレル信号に変換するＳ／Ｐ２１０１と、
パラレル信号に変換された入力信号とレプリカとの乗算を行う乗算部２１０３と、
乗算部２１０３で乗算された各値を加算する加算器２１０２と、
からなる。ここで乗算部２１０３はレプリカが１、−１の２値のみをとる場合は、入力信号の符号ビット（サインビット）の反転処理などで代用することも可能である。
移動局装置では、図１３の相関検波器を用いて、
自局で保持している３４０種類のＳ−ＳＣＨ系列のレプリカと受信した信号の各相関をとり、相関値の絶対値が最大の値をとる符号、あるいは絶対値が予め設定した閾値を超える符号を基地局から送信された符号として同定する。【００７８】
ここで、図１２の発生回路を用いて生成されたＰ（ｎ，ｍ）について以下の式が成り立つ。
＜式１＞
Ｐ（１９，ｍ）×Ｐ（１５，ｍ）×（−１）＝Ｐ（２８，ｍ）【００７９】
これは一例であり、他にも同様の式が成り立つ組み合わせは存在する。また、シフトレジスタの数を変えた場合、排他的論理和の場所を変えた場合においても同様の式が成り立つ組み合わせは存在する。【００８０】
また、式１から次の式が成り立つ。
＜式２＞
Ｐ（１９，ｍ）×Ｐ（１９，ｍ）＝１，１，１，１，１，１，１，・・・，１
Ｐ（２８，ｍ）×Ｐ（１９，ｍ）＝Ｐ（１５，ｍ）×（−１）【００８１】
ここで、Ｓ−ＳＣＨの１系列Ｑ１にＰ（１９，ｍ）をスクランブル符号として乗じた信号Ｑ１×Ｐ（１９，ｍ）と、Ｓ−ＳＣＨの１系列Ｑ２（Ｑ２はＱ１と同じでも異なっていてもよい）にＰ（２８，ｍ）をスクランブル符号として乗じた信号Ｑ２×Ｐ（２８，ｍ）に対してＰ（１９，ｍ）を乗じると式２より以下の式が成り立つ。
＜式３＞
Ｑ１×Ｐ（１９，ｍ）×Ｐ（１９，ｍ）＝Ｑ１
Ｑ２×Ｐ（２８，ｍ）×Ｐ（１９，ｍ）＝Ｑ２×Ｐ（１５，ｍ）×（−１）【００８２】
上記式の特性を利用して、Ｐ（２８，ｍ）のレプリカを用意せず、Ｐ（１９，ｍ）のレプリカのみを用意することにより２種類の符号を検出することができることを以下に示す。
上記検出を効率的に行うための相関検波器は図１４に示すように、
長さ６３の入力信号をパラレル信号に変換するＳ／Ｐ２２０１と、
パラレル信号に変換された入力信号とレプリカとの乗算を行う乗算部２２０６と、
乗算部２２０６で乗算された各値のうち、Ｐ（１５，ｍ）の値が−１となるｍに対応する乗算部２２０６の出力値を加算する第１の加算器２２０２と、
乗算部２２０６で乗算された各値のうち、Ｐ（１５，ｍ）の値が＋１となるｍに対応する乗算部２２０６の出力値を加算する第２の加算器２２０３と、
第１の加算器２２０２の出力と第２の加算器２２０３の出力を加算する第３の加算器２２０４と、
第１の加算器２２０２の出力から第２の加算器２２０３の出力を減算する減算器２２０５と、
からなる。【００８３】
上記回路構成のように、乗算部から出力された値の加算を、Ｐ（１５，ｍ）の値が１となるｍの箇所と−１となるｍの箇所を分けて加算をしておき、両方の加算結果を加算することによりＰ（１９，ｍ）のレプリカに対する相関値を得ることができ、第１の加算器２２０２の加算結果から第２の加算器２２０３の加算結果を減算することにより、前記式２の右辺にＰ（１５，ｍ）×（−１）を乗算することと等価の処理となり、Ｐ（２８，ｍ）のレプリカに対する相関値を得ることができる。【００８４】
上記相関検波器を用いることにより、２つのスクランブル符号に対してそれぞれ３４０種類の相関検波処理を行うことなく、１つのスクランブル符号に対する３４０種類の相関検波処理に加算器と減算器を追加するだけで２つのスクランブル符号に対する相関値を取得することができ、演算処理の削減が可能となる。
上記符号（たとえばＰ（１９，ｍ）とＰ（２８，ｍ））を第４のＰ−ＳＣＨにおけるＰ−ＳＣＨ対応スクランブル符号として利用し、基地局がＨＮＢであればＰ（１９，ｍ）を用いて、ｄＭＢＭＳ基地局であればＰ（２８，ｍ）を用いるようにする。【００８５】
上記処理により、移動局装置では新たに割り当てられた第４のＰ−ＳＣＨを検出することによりＨＮＢあるいはｄＭＢＭＳ基地局が存在することを認識し、Ｐ−ＳＣＨを位相・振幅のリファレンス信号として用いてＳ−ＳＣＨの伝搬路補償を行なう。伝搬路補償されたＳ−ＳＣＨにＰ（１９，ｍ）を乗算することによりデスクランブル処理を行ない、上記図１４の相関処理によって予め移動局装置内で保持している３４０種類の系列との相関をとることにより、相関値が最大となる系列を同定する。ここでＰ（１９，ｍ）との相関値であればＨＮＢから送信された信号であることがわかり、Ｐ（２８，ｍ）との相関値であればｄＭＢＭＳ基地局から送信された信号であることがわかる。【００８６】
以上の処理により、ＨＮＢ、ｄＭＢＭＳ基地局用に個別の複数のＰ−ＳＣＨを用いることなくセルサーチを行なうことが可能となり、移動局装置における処理の軽減を図ることが可能となる。【００８７】
本実施形態では、Ｐ−ＳＣＨ対応スクランブル符号として５つの系列（Ｐ１〜Ｐ４、Ｐ４´）を用意し、Ｐ−ＳＣＨ系列に一意に対応付ける。ここで系列Ｐ４をＰ（１９，ｍ）とし、Ｐ４´をＰ（２８，ｍ）とする。【００８８】
ここで、前述した、第２の実施形態における基地局装置のＳＣＨ信号生成部２９’について、図１１のブロック図を用いて詳細に説明する。
図示のように、セルＩＤ情報、およびセル種別情報（通常のセル、ＨＮＢ、ｄＭＢＭＳなど）が、Ｐ−ＳＣＨ生成部９０とＳ−ＳＣＨ生成部９１とＰ−ＳＣＨ対応スクランブル符号生成部９２に入力されると、Ｐ−ＳＣＨ生成部９０では、当該セルＩＤ情報、セル種別情報よりＰ−ＳＣＨの系列が選択される。【００８９】
また、同様にセルＩＤ情報、セル種別情報を基にＳ−ＳＣＨ生成部９１よりＳ−ＳＣＨ１およびＳ−ＳＣＨ２が生成される。本実施形態では、Ｓ−ＳＣＨ生成部９１にセルＩＤ情報、セル種別情報が入力される例であるが、他の基地局装置情報（例えば送信アンテナ数情報、フレームタイミング情報）が入力されても良い。【００９０】
続いて、Ｐ−ＳＣＨ対応スクランブル符号生成部９２では、セルＩＤ情報とセル種別情報をもとにＰ−ＳＣＨ対応スクランブル符号が生成される。具体的にはセル種別が通常セルであればＰ１、Ｐ２、Ｐ３からスクランブル符号を選択し、セル種別がＨＮＢであれば前述のＰ４を選択し、ｄＭＢＭＳであれば同Ｐ４´を選択する。
そして、Ｐ−ＳＣＨ対応スクランブル符号生成部９２から出力されたＰ−ＳＣＨ対応スクランブル符号に、Ｓ−ＳＣＨ生成部９１から出力されたＳ−ＳＣＨ１、Ｓ−ＳＣＨ２が乗ぜられる。【００９１】
最後に、上述したＰ−ＳＣＨ対応スクランブル符号によるスクランブルが施されたＳ−ＳＣＨ１とＳ−ＳＣＨ２がＳ−ＳＣＨマッピング部９３に入力され、図３に示したサブキャリア位置に周波数多重されて配置される。【００９２】
図１５は、第２の実施形態における移動局装置のセルサーチ部１６’の詳細について説明するためのブロック図である。
図示したように、受信部１０から入力された受信信号は、まずチャネル切替部１００に入力される。チャネル切替部１００は、セルサーチ制御のステップに従い、Ｐ−ＳＣＨ検出処理なのかＳ−ＳＣＨ検出処理なのかを判断し、受信信号の出力先を適切に変更する。【００９３】
Ｐ−ＳＣＨ検出処理である場合、受信信号はＰ−ＳＣＨ相関部１０１に入力される。また、Ｐ−ＳＣＨ相関部１０１には、Ｐ−ＳＣＨレプリカ信号選択部１０２よりＰ−ＳＣＨレプリカ信号が入力され、受信信号との相関検波処理が行われる。【００９４】
Ｐ−ＳＣＨ相関部１０１で相関検波により生成されたＰ−ＳＣＨ相関信号は、Ｐ−ＳＣＨ判定部１０３へ出力され、また、同時にＰ−ＳＣＨ相関信号はＰ−ＳＣＨ信号保持部１０４へ出力され、Ｐ−ＳＣＨ相関信号が記憶される。記録された相関信号は、必要に応じて新規に入力されたＰ−ＳＣＨ相関信号と合成される。【００９５】
Ｐ−ＳＣＨ判定部１０３は、Ｐ−ＳＣＨ相関部１０１より出力されたＰ−ＳＣＨ相関信号の相関値が、ある一定以上であればＰ−ＳＣＨを正しく検出したと判断し、得られたＰ−ＳＣＨ検出情報（スロットタイミング、Ｐ−ＳＣＨ系列情報）をセル情報処理部１７へ出力する。【００９６】
また、同時にＰ−ＳＣＨ系列情報は伝搬路補償部１１０、Ｓ−ＳＣＨ判定部１０８、およびＰ−ＳＣＨ対応スクランブル符号選択部１０５へ入力される。Ｐ−ＳＣＨ対応スクランブル符号選択部１０５ではＰ−ＳＣＨの系列に対応するＰ−ＳＣＨ対応スクランブル符号が選択される。ここで第４のＰ−ＳＣＨであった場合にはスクランブル符号としてＰ４が選択される。【００９７】
セルサーチ制御が、Ｓ−ＳＣＨ検出処理であったとき、伝搬路補償部１１０では入力されたＳ−ＳＣＨと同一サブフレームのＰ−ＳＣＨ信号、Ｐ−ＳＣＨ系列情報、前記Ｐ−ＳＣＨ系列情報に対応するＰ−ＳＣＨレプリカ信号をもとに伝搬路を推定し、Ｓ−ＳＣＨ信号を補償する。補償された受信信号はＰ−ＳＣＨ対応スクランブル符号が乗算される。ここでは伝搬路補償部１１０を設けたが性能の劣化が許容できるのであればこの伝搬路補償部を設けなくてもよい。Ｓ−ＳＣＨ相関部１０６には、Ｓ−ＳＣＨレプリカ信号選択部１０７よりＳ−ＳＣＨレプリカ信号が入力され、受信信号との相関検波処理が行われる。
Ｓ−ＳＣＨ相関部１０６は、自局に保持するＳ−ＳＣＨレプリカとの相関値を算出する際に、通常の相関値と、特定の箇所の正負を反転した相関値とを求める。【００９８】
ここで検出されたＰ−ＳＣＨが第４のＰ−ＳＣＨであった場合には前記Ｐ（１５，ｍ）を用いた相関処理を行う。Ｓ−ＳＣＨ相関部１０６で相関検波により生成されたＳ−ＳＣＨ相関信号、及び、Ｐ−ＳＣＨが第４のＰ−ＳＣＨであった場合にはＰ４とＰ４´のいずれの相関結果かも含めて、Ｓ−ＳＣＨ判定部１０８へ出力され、また、同時にＳ−ＳＣＨ信号保持部１０９へも出力され記憶される。【００９９】
Ｓ−ＳＣＨ判定部１０８は、Ｓ−ＳＣＨ相関部１０６より出力されたＳ−ＳＣＨ相関信号の相関値の絶対値が、ある一定以上であればＳ−ＳＣＨ１の系列を正しく検出したと判断し、さらに入力されたＰ−ＳＣＨ情報が第４のＰ−ＳＣＨであった場合にはスクランブル符号がＰ４なのかＰ４´なのかの判定を行ない、得られたＳ−ＳＣＨ検出情報をＨＮＢ，ｄＭＢＭＳ何れか判定されたほうのセルＩＤ情報、フレームタイミング情報などとして出力し、第４のＰ−ＳＣＨ以外のＰ−ＳＣＨであった場合には通常のセルＩＤ情報、フレームタイミング情報などとして、セル情報処理部１７へ出力する。
つまり、Ｓ−ＳＣＨ判定部１０８は、算出された２種類の相関値によってセルの種別の識別を判断する。【０１００】
図１６は、図１１の移動局装置におけるセルサーチ部１６’のセル情報を同定するまでの処理の一例を説明するためのフローチャートである。
セル情報検出処理の開始後、まず、自局移動局装置１が保持しているＰ−ＳＣＨレプリカと受信信号との相関をとり、所定の閾値を越える相関が検出された場合に、Ｐ−ＳＣＨが検出されたとする（ステップＳ１１）。
同定したＰ−ＳＣＨ系列に応じて選択されたＰ−ＳＣＨ対応スクランブル符号を受信Ｓ−ＳＣＨ信号に乗算し、デスクランブルした信号を出力する（ステップＳ１２）。【０１０１】
Ｓ１１で同定されたＰ−ＳＣＨが第４のＰ−ＳＣＨ（ＨＮＢおよびｄＭＢＭＳ基地局から送信されたＰ−ＳＣＨ）か否かを判定する（ステップＳ１３）。
第４のＰ−ＳＣＨであった場合は（ステップＳ１３／ＹＥＳ）、ステップＳ１６へ進み、違った場合は（ステップＳ１３／ＮＯ）、ステップＳ１４へ進む。
第４のＰ−ＳＣＨでない場合（ステップＳ１３／ＮＯ）、自局移動局装置１が保持しているＳ−ＳＣＨレプリカとデスクランブルされた信号との相関をとり、相関値が最大となる系列を同定する（ステップＳ１４）。
そして、ステップＳ１４で同定した系列から通常セルのセル情報を取得してセル情報検出処理を終了する（ステップＳ１５）。【０１０２】
第４のＰ−ＳＣＨであった場合（ステップＳ１３／ＹＥＳ）、自局移動局装置１が保持しているＳ−ＳＣＨレプリカとデスクランブルされた信号との相関を前記手法により算出し、相関値が最大となる系列を同定するとともに算出した相関値がＰ（１９，ｍ）に対するものかＰ（２８，ｍ）に対するものかも同定する（ステップＳ１６）。【０１０３】
次に、ステップＳ１６の相関値がＰ（１９，ｍ）に対するものかを判定する（ステップＳ１７）。ステップＳ１６の相関値がＰ（１９，ｍ）に対するものであれば（ステップＳ１７／ＹＥＳ）、ステップＳ１８へ進み、Ｐ（２８，ｍ）に対するものであれば（ステップＳ１７／ＮＯ）、ステップＳ１９へ進む。【０１０４】
Ｐ（１９，ｍ）であった場合（ステップＳ１７／ＹＥＳ）、ステップＳ１６で同定したＳ−ＳＣＨの系列からＨＮＢのセル情報を取得してセル情報検出処理を終了する（ステップＳ１８）。
Ｐ（２８，ｍ）であった場合（ステップＳ１７／ＮＯ）、ステップＳ１６で同定したＳ−ＳＣＨの系列からｄＭＢＭＳ基地局のセル情報を取得してセル情報検出処理を終了する（ステップＳ１９）。【０１０５】
本実施形態により、第１の実施形態と同様に、Ｓ−ＳＣＨの検出処理に要する回路規模を増加させることなく、ＨＮＢ、ｄＭＢＭＳ基地局への同期に対応させることが可能となる。【０１０６】
なお、本実施形態において前記ステップＳ１７のように、Ｓ−ＳＣＨの相関値の判断によってＨＮＢ、ｄＭＢＭＳ基地局のセル種別を識別しているが、基地局装置と移動局装置の双方で既知であれば逆に割り当てられてあっても構わない。また、第４のＰ−ＳＣＨに割り当てるセル種別はこの２つに限定されるものではなく、特定用途に特化した基地局など他にも適用が可能である。【０１０７】
さらには、第４のＰ−ＳＣＨを用いず、通常セルの３つのＰ−ＳＣＨのうち、第１のＰ−ＳＣＨに対応するスクランブル符号としてＰ１×Ｐ１´＝Ｐ（１５，ｍ）×（−１）を満たすＰ１とＰ１´を用いて、通常セルではＰ１をスクランブル符号として用いて、ＨＮＢでは第１のＰ−ＳＣＨをＰ−ＳＣＨとして使用し、Ｐ１´をスクランブル符号として用いる。【０１０８】
そして第２のＰ−ＳＣＨに対応するスクランブル符号としてＰ２×Ｐ２´＝Ｐ（１５，ｍ）×（−１）を満たすＰ２とＰ２´を用いて、通常セルではＰ２をスクランブル符号として用いて、ｄＭＢＭＳでは第２のＰ−ＳＣＨをＰ−ＳＣＨとして使用し、Ｐ２´をスクランブル符号として用いる。【０１０９】
移動局装置が第１のＰ−ＳＣＨ又は第２のＰ−ＳＣＨを検出した場合に上記の相関処理を行なうことにより、第４のＰ−ＳＣＨを用いた場合と同様の処理でセル種別の識別を行なうことも可能である。【０１１０】
前記第１、第２の実施形態ではＰＮ符号を例に説明を行ったが、これに限定されるものではなく、前記特性を有する符号であれば適用可能である。
また、前記第１、第２の実施形態ではＳ−ＳＣＨ１とＳ−ＳＣＨ２の系列生成のためのパラメータとしてセルＩＤ情報とセル種別情報を一例として用いているが、セルＩＤ情報だけを基にしても、あるいは他のフレームタイミング情報、アンテナ情報などを含めたものであってもよく、本発明には影響しない。【０１１１】
なお、以上説明した実施形態において、移動局装置および基地局装置の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、更に前述した機能をコンピュータシステムにすでに記録されているプログラムとの組み合わせで実現できるものであっても良い。
以上、この発明の実施形態について図面を参照して詳述してきたが、具体的な構成はこの実施形態に限られるものではなく、この発明の要旨を逸脱しない範囲の設計等も特許請求の範囲に含まれる。
【図１】
2009060668.tif 000003
【図２】
2009060668.tif 000004
【図３】
2009060668.tif 000005
【図４】
2009060668.tif 000006
【図５】
2009060668.tif 000007
【図６】
2009060668.tif 000008
【図７】
2009060668.tif 000009
【図８】
2009060668.tif 000010
【図９】
2009060668.tif 000011
【図１０】
2009060668.tif 000012
【図１１】
2009060668.tif 000013
【図１２】
2009060668.tif 000014
【図１３】
2009060668.tif 000015
【図１４】
2009060668.tif 000016
【図１５】
2009060668.tif 000017
【図１６】
2009060668.tif 000018
【図１７】
2009060668.tif 000019
【国際調査報告】
2009060668.tif 000020
2009060668.tif 000021
2009060668.tif 000022
2009060668.tif 000023